(57)【要約】【課題】フローリング床面、畳、じゅうたん等のさまざまな被清掃面にたいしても、被清掃面にたいする清掃効果が極めて高く、的確、かつ迅速に清掃することができる回転ロータ及び電気掃除機を提供する。【解決手段】掃除機用床ノズルに使用されてある回転ロータにおいて、前記回転ロータはロータ、及び複数の清掃体が形成されてあり、前記清掃体として少なくとも一つ以上、あるいは一対以上のチャンネルブラシが形成されてあり、前記チャンネルブラシはブラシ片、芯線、及び帯状体より形成されてあるか、あるいは、ブラシ片、及び帯状体より形成されてあり、前記ロータの外周に開口する溝部が形成されてあり、前記清掃体が前記ロータの前記溝部に装着されてあると共に、前記溝部、及び前記清掃体が前記ロータの軸の周りに螺旋状に形成されてあるものである。【選択図】      図１
2006326249.tif 000002
【特許請求の範囲】
【請求項１】
掃除機用床ノズルに使用されてある回転ロータにおいて、前記回転ロータはロータ、及び複数の清掃体が形成されてあり、前記清掃体として少なくとも一つ以上、あるいは一対以上のチャンネルブラシが形成されてあり、前記チャンネルブラシはブラシ片、芯線、及び帯状体より形成されてあるか、あるいは、ブラシ片、及び帯状体より形成されてあり、前記ロータの外周に開口する溝部が形成されてあり、前記清掃体が前記ロータの前記溝部に装着されてあると共に、前記溝部、及び前記清掃体が前記ロータの軸の周りに螺旋状に形成されてあることを特徴とする回転ロータ。
【請求項２】
請求項１記載の構成よりなる回転ロータにおいて、前記清掃体は、細い繊維でブラシ状に形成された清掃体Ｂ、軟質材でブレード状に形成された清掃体Ｃ、払拭布で形成された清掃体Ｄ、前記清掃体Ｂよりこしの強い細い繊維でブラシ状に形成された清掃体Ａのいずれかを２つ以上組み合わせて形成されてあり、前記清掃体Ａの高さが前記清掃体Ｂの高さと同じあるいはより低いか、前記清掃体Ａの高さが前記清掃体Ｃの高さと同じあるいはより高いか、前記清掃体Ｂの高さが前記清掃体Ｃの高さと同じあるいはより高いか、あるいは前記清掃体Ａの高さが前記清掃体Ｄの高さと同じあるいはより低いかのいずれかであることを特徴とする回転ロータ。
【請求項３】
吸引力を発生させる電動送風機と、塵埃を捕集する集塵室と、前記集塵室に連通するように接続される掃除機用床ノズルとを備え、前記掃除機用床ノズルに、請求項１あるいは２記載の掃除機用床ノズルの回転ロータを配した電気掃除機。
【発明の詳細な説明】
【技術分野】
【０００１】  本発明は、掃除機用床ノズルに使用されてある回転ロータ及びそれを用いた電気掃除機に関するものである。
【背景技術】
【０００２】  掃除機用床ノズルに使用されてある回転ロータに関しては、さまざまな改良がなされ、例えば、掃除機用床ノズルに使用されてある回転ロータにおいて、前記回転ロータはロータ、及びチャンネルブラシより形成されてあり、前記チャンネルブラシはブラシ片、芯線、及び帯状体より形成されてあるか、あるいは、ブラシ片、及び帯状体より形成されてあると共に、前記チャンネルブラシが前記ロータに装着されてあることを特徴とする回転ロータが、掃除機用床ノズルの回転ロータとして、特願２００４−５２４５３号にて出願されてある。【０００３】  従来の回転ロータは、上記の如くの開示がなされてあるが、上記の回転ロータは、ロータ、及びチャンネルブラシの構成が採用されてある為、例えば、フローリング床面、畳、じゅうたん等のさまざまな被清掃面にたいしても、的確、かつ迅速に清掃する為には、チャンネルブラシのみでは不十分であった。【０００４】
【特許文献１】  特願２００４−５２４５３号
【発明の開示】
【発明が解決しようとする課題】
【０００５】  本発明は、上記のような課題を解決するためになされたもので、例えば、フローリング床面、畳、じゅうたん等のさまざまな被清掃面にたいしても、被清掃面にたいする清掃効果が極めて高く、的確、かつ迅速に清掃することができる回転ロータ及び電気掃除機を提供することを目的としている。
【課題を解決するための手段】
【０００６】  本発明にかかる掃除機用床ノズルの回転ロータ及び電気掃除機は、次のように構成したものである。
（１）掃除機用床ノズルに使用されてある回転ロータにおいて、前記回転ロータはロータ、及び複数の清掃体が形成されてあり、前記清掃体として少なくとも一つ以上、あるいは一対以上のチャンネルブラシが形成されてあり、前記チャンネルブラシはブラシ片、芯線、及び帯状体より形成されてあるか、あるいは、ブラシ片、及び帯状体より形成されてあり、前記ロータの外周に開口する溝部が形成されてあり、前記清掃体が前記ロータの前記溝部に装着されてあると共に、前記溝部、及び前記清掃体が前記ロータの軸の周りに螺旋状に形成されてあるものである。【０００７】  （２）上記（１）記載の回転ロータにおいて、前記清掃体は、細い繊維でブラシ状に形成された清掃体Ｂ、軟質材でブレード状に形成された清掃体Ｃ、払拭布で形成された清掃体Ｄ、前記清掃体Ｂよりこしの強い細い繊維でブラシ状に形成された清掃体Ａのいずれかを２つ以上組み合わせて形成されてあり、前記清掃体Ａの高さが前記清掃体Ｂの高さと同じあるいはより低いか、前記清掃体Ａの高さが前記清掃体Ｃの高さと同じあるいはより高いか、前記清掃体Ｂの高さが前記清掃体Ｃの高さと同じあるいはより高いか、あるいは前記清掃体Ａの高さが前記清掃体Ｄの高さと同じあるいはより低いかのいずれかであるものである。【０００８】  （３）吸引力を発生させる電動送風機と、塵埃を捕集する集塵室と、前記集塵室に連通するように接続される掃除機用床ノズルとを備え、前記掃除機用床ノズルに、上記（１）あるいは（２）記載の掃除機用床ノズルの回転ロータを配した電気掃除機。
【発明の効果】
【０００９】  本発明の掃除機用床ノズルの回転ロータおよび電気掃除機は、次に示すような効果を得ることができる。なお、説明にあたっては、請求項の番号と同じ番号を付して説明する。【００１０】  （１）清掃体として、一対のチャンネルブラシが、形成されてある。チャンネルブラシは、毛腰の強い材質のブラシ片を密集かつ連続的に形成して製造することができる。その為、毛腰の強い材質のブラシ片を有するチャンネルブラシを、ロータの軸の周りに螺旋状に形成する事ができる。その為、ブラシ片の材質として、毛腰の強い材質を使用した場合においては、例えば、強力な掻き出し力が必要な被清掃面にたいしても、毛腰の強い材質のブラシ片が、被清掃面上の塵埃、ごみ、こびりついた汚れ等を、強力に掻き出すことができ、回転ロータは、極めて高い清掃効果を有することができる。【００１１】  また、ブラシ片の材質として、毛腰が強く、かつしなやかな材質を使用した場合においては、例えば、畳等の細かな凹凸面を有する被清掃面上の塵埃、ごみ、こびりついた汚れ等を、ブラシ片が凹凸面の細部にまで入り込んで、的確に除去する事ができる。【００１２】  また、ブラシ片の材質として、毛腰がしなやかで、かつ密集度の高い材質を使用した場合においては、フローリング床面等の表面の磨き効果が必要とされる被清掃面にたいして、被清掃面上の麈埃、ごみ、こびりついた汚れ等を、迅速に清掃すると共に、表面を極めて円滑に磨きあげる事ができ、回転ロータは、極めて高い清掃効果を有することができる。【００１３】  また、回転ロータは、清掃体として、一対のブレードが形成されてある。その為、被清掃面が、例えば、じゅうたん等の場合であっても、先端に複数の凸部を有する軟質樹脂の弾性材からなるブレードが、被清掃面を強力に叩きつける事により、被清掃面上の塵埃、ごみ、こびりついた汚れ等を、強力に叩き出すことができ、回転ロータは、極めて高い清掃効果を有することができる。【００１４】  また、回転ロータは、清掃体として、一対のチャンネルブラシ、及び一対のブレードが形成されてあり、ロータの溝部にたいして装着されてあると共に、清掃体は、ロータの軸の周りに捩りを加えて螺旋状に形成されてある。その為、被清掃面が、フローリング床面、畳、じゅうたん等のさまざまな被清掃面の場合であっても、回転ロータは、ロータの軸の周りに螺旋状に形成されてある一対のチャンネルブラシ、及び一対のブレードからなる２種類の清掃体を、被清掃面にたいして連続的かつ強力に接触させることができる為、被清掃面上の塵埃、ごみ、こびりついた汚れ等を、強力に掻き出すことができる。その為、回転ロータは、被清掃面にたいして、清掃効果を極めて高く、的確、かつ迅速に清掃することができる。【００１５】  また、チャンネルブラシは、ブラシ片の材質として、複数種類の材質を組み合わせて使用することができる為、被清掃面上に、さまざまな塵埃、ごみ等がある場合においても、強力に掻き出すことができ、回転ロータは、極めて高い清掃効果を有することができる。【００１６】  さらにまた、チャンネルブラシは、ブラシ片を帯状体、及び芯線に挟み付けて折り込んで形成されてあると共に、ロータの軸の周りに螺旋状に形成されてあ��溝部にたいして装着されてある為、ブラシ片が、帯状体、及び芯線から脱落あるいは位置ずれすることが、ほとんど無い。その為、回転ロータは、極めて高い耐久性を有することができる。【００１７】  （１）他の実施の形態として、清掃体に、起毛ブラシを使用した場合においては、例えば、畳等の細かな凹凸面を有する被清掃面上の塵埃、ごみ、こびりついた汚れ等を、密集させて植設して形成されてある短繊維が、凹凸面の細部にまで入り込んで、的確に除去する事ができる。また、例えば、フローリング床面等の表面の磨き効果が必要とされる被清掃面上の塵埃、ごみ、こびりついた汚れ等を、密集させて植設して形成されてある短繊維が、迅速に清掃すると共に、表面を極めて円滑に磨きあげる事ができる。【００１８】  また、他の実施の形態として、清掃体に、払拭布を使用した場合においては、例えば、畳等の細かな凹凸面を有する被清掃面上の塵埃、ごみ、こびりついた汚れ等を、布部の表面に形成された起毛部が、凹凸面の細部にまで入り込んで、的確に除去する事ができると共に、例えば、フローリング床面等の表面の磨き効果が必要とされる被清掃面にたいして、被清掃面上の塵埃、ごみ、こびりついた汚れ等を、布部の表面に形成された起毛部が、迅速に清掃すると共に、表面を極めて円滑に磨きあげる事ができる。【００１９】  （２）清掃体Ａは、主にじゅうたん等の被清掃面を強力に叩きつける事ができる。その為、付着した塵埃を確実に掻き出す事ができる。清掃体Ｂは、主に木床、たたみ、タイル等の被清掃面の細かい凹凸部に入り込む事ができる。その為、細かい凹凸部に入り込んだ塵埃を確実に掻き出す事ができる。清掃体Ｃは、主にじゅうたん等の被清掃面を強力に叩きつける事ができる。その為、付着した塵埃を確実に掻き出す事ができる。清掃体Ｄは、被清掃面に布を接触できる。その為、主に木床、たたみ、タイル等の被清掃面を磨き上げる事ができる。【００２０】  また、清掃体Ａの高さは清掃体Ｂの高さより低い為、清掃体Ａの回転外径は清掃体Ｂの回転外径より小さく形成されてある。その為、回転ロータは、清掃体Ｂがじゅうたんのパイルを倒すと共に、清掃体Ａがじゅうたんのパイルを押し広げると同時にパイルに付着した集塵を掻き取る事ができる。また、回転ロータは、主にじゅうたん等の被清掃面を強力に叩きつける事ができると共に、主に木床、たたみ、タイル等の被清掃面の細かい凹凸部に入り込む事ができる。【００２１】  また、清掃体Ａの高さは、清掃体Ｃの高さより高い為、清掃体Ａの回転外径は清掃体Ｃの回転外径より大きく形成されてある。その為、回転ロータは、清掃体Ａがじゅうたんのパイルを倒すと共に、清掃体Ｃがじゅうたんのパイルを押し広げると同時にパイルに付着した集塵を掻き取る事ができる。また、じゅうたんの奥部を、清掃体Ａが塵埃を確実に掻き出す事ができる。また、主に、じゅうたん等の被清掃面の表面部を、清掃体Ｃが強力に叩きつける事ができる。その為、主にじゅうたん等の被清掃面を、極めて強力、かつ迅速に清掃できる。また、清掃中に長い髪の毛が清掃体Ｃに巻きついた場合であっても、清掃体Ｃの先端より内方に巻きつく事が無い為、はさみ等にて髪の毛を切って簡単に切除する事ができる。【００���２】  また、清掃体Ｂの高さは清掃体Ｃの高さより高い為、清掃体Ｂの回転外径は清掃体Ｃの回転外径より大きく形成されてある。その為、回転ロータは、上記の清掃体Ａ、及び清掃体Ｃの場合と同様の効果を得る事ができる。また、回転ロータは、清掃体Ｃが、主にじゅうたん等の被清掃面を強力に叩きつける事ができると共に、清掃体Ｂが、主に木床、たたみ、タイル等の被清掃面の細かい凹凸部に入り込む事ができる。【００２３】  また、清掃体Ａの高さは清掃体Ｄの高さより低い為、清掃体Ａの回転外径は清掃体Ｄの回転外径より小さく形成されてある。その為、回転ロータは、清掃体Ｄが、主に木床、たたみ、タイル等の被清掃面を磨き上げる事ができると共に、清掃体Ａが主にじゅうたん等の被清掃面を強力に叩きつける事ができる。【００２４】  また、チャンネルブラシは、毛のこしの強さを任意に調節できる為、使用目的に応じて、最適な毛のこしの強さを有する清掃体を製作できる。また、チャンネルブラシは、基布にたいして短繊維を密集させて植設した起毛ブラシに比べて、帯状体に挟み付ける事が可能であるならば、いかなるこしの強い毛であっても清掃体を製作できる。その為、起毛ブラシのこしの強さでは不十分な被清掃面にたいしても、的確に清掃できる。【００２５】  （３）被清掃面が、床、たたみ、じゅうたん等、さまざまな被清掃面であっても、上記（１）あるいは（２）記載の掃除機用床ノズルの回転ロータに構成された清掃体が、的確、かつ迅速に集塵等を清掃して捕集できる。その為、極めて清掃効果の高い電気掃除機を製作できる。
【発明を実施するための最良の形態】
【００２６】  例えば、フローリング床面、畳、じゅうたん等のさまざまな被清掃面にたいしても、被清掃面にたいする清掃効果が極めて高く、的確、かつ迅速に清掃することができる回転ロータ及び電気掃除機を提供するという目的を、掃除機用床ノズルに使用されてある回転ロータにおいて、前記回転ロータはロータ、及び複数の清掃体が形成されてあり、前記清掃体として少なくとも一つ以上、あるいは一対以上のチャンネルブラシが形成されてあり、前記チャンネルブラシはブラシ片、芯線、及び帯状体より形成されてあるか、あるいは、ブラシ片、及び帯状体より形成されてあり、前記ロータの外周に開口する溝部が形成されてあり、前記清掃体が前記ロータの前記溝部に装着されてあると共に、前記溝部、及び前記清掃体が前記ロータの軸の周りに螺旋状に形成されてある構成において実現した。
【実施例１】
【００２７】  図１から図８にて実施例１を示す。図１は、本発明の回転ロータを分解して前面側から見た斜視図である。図１において、１は回転ロータ、２はロータ、３はチャンネルブラシ、４はブレード、１０は清掃体、２０は溝部、４８はギア部、５８は回転軸、６８、７８はブラケット、７０は軸受、８８はワッシャーである。図２は、図１に記載の回転ロータの使用状態を示す断面図である。図２において、３８は開口、４０は掃除機用床ノズルである。図３は、図１に使用するロータを前面側から見た斜視図である。図４は、図１に使用するチャンネルブラシを前面側から見た斜視図である。図４において、５は帯状体、６は芯線、７はブラシ片である。図５は、図１に使用する清掃体を前面側から見た斜視図である。図５において、３０は凸部、５０は底部である。図６は、図１に使用するチャンネルブラシの製造方法を前面側から見た斜視図である。図６において、１８は縦ロール、２８は横ロールである。図７は、本発明の他の実施の形態として使用する清掃体を前面側から見た斜視図である。図７において、８は起毛ブラシ、５１は基布、５２は短繊維である。図８は、本発明の他の実施の形態として使用する消掃体を前面側から見た斜視図である。図８において、９は払拭布、６０は底部、８０は起毛部、９０は布部である。【００２８】  回転ロータ１は、図１の如く、ロータ２、及び複数の清掃体１０が形成されてある。ロータ２は、図３の如く、概円柱形状からなり、外周には、ロータ２の軸の周りに溝部２０が、螺旋状に形成されてある。また、清掃体１０として、一対のチャンネルブラシ３、及び一対のブレード４が形成されてあり、ロータ２の溝部２０にたいして装着されてあると共に、清掃体１０として形成されてある一対のチャンネルブラシ３、及び一対のブレード４は、ロータ２の軸の周りに螺旋状に形成されてある。また、回転ロータ１は、複数の清掃体１０を溝部２０にたいして装着したロータ２の両端に、回転軸５８が一体的に装着されたブラケット６８、及び回転軸５８が一体的に装着されてあると共に、ギア部４８が形成されてあるブラケット７８を挿入固定した後、ワッシャ−８８を介して、軸受７０が回動自在に装着されてある。また、回転ロータ１は、図２の如く、掃除機用床ノズル４０の開口３８の近傍に形成されてあり、回転ロータ駆動用のモータ（図示せず）の動力が、ベルト（図示せず）を介して、ギア部４８に伝達される事により、所定の回転数にて回転する。【００２９】  また、チャンネルブラシ３は、図４の如く、ブラシ片７、芯線６、及び帯状体５より形成されてある。また、ブレード４は、図５の如く、先端に複数の凸部３０が形成されてあると共に、概きのこ形状の断面を有する底部５０が形成されてあり、材質として、軟質樹脂の弾性材が使用されてある。【００３０】  次に、図６において、チャンネルブラシ３の製造方法を説明する。チャンネルブラシ３は、断面が概コの字形状の長尺の帯状体５にたいして、所定本数のブラシ片７の中央部が帯状体５の上部になるように、重ね合わせて設置し、縦ロール１８を使用して、芯線６にてブラシ片７を挟み付けると共に、芯線６を概コの字形状の帯状体５の内部に押し込む。次に、帯状体５の両側���形成された横ロール２８を使用して、帯状体５を両側から、かしめる。その結果、中央部が帯状体５、及び芯線６に挟み付けられて折り込まれたブラシ片７を有するチャンネルブラシ３が形成される。【００３１】  実施例１の回転ロータ１は上記の如くの構成となっているので、清掃体１０として、一対のチャンネルブラシ３が形成されてある。チャンネルブラシ３は、毛腰の強い材質のブラシ片７を、密集かつ連続的に形成して製造することができる。その為、毛腰の強い材質のブラシ片７を有するチャンネルブラシ３を、ロータ２の軸の周りに螺旋状に形成する事ができる。その為、ブラシ片７の材質として、毛腰の強い材質を使用した場合においては、例えば、強力な掻き出し力が必要な被清掃面にたいしても、毛腰の強い材質のブラシ片７が、被清掃面上の塵埃、ごみ、こびりついた汚れ等を、強力に掻き出すことができ、回転ロータ１は、極めて高い清掃効果を有することができる。【００３２】  また、ブラシ片７の材質として、毛腰が強く、かつしなやかな材質を使用した場合においては、例えば、畳等の細かな凹凸面を有する被清掃面上の塵埃、ごみ、こびりついた汚れ等を、ブラシ片７が凹凸面の細部にまで入り込んで、的確に除去する事ができる。【００３３】  また、ブラシ片７の材質として、毛腰がしなやかで、かつ密集度の高い材質を使用した場合においては、フローリング床面等の表面の磨き効果が必要とされる被清掃面にたいして、被清掃面上の塵埃、ごみ、こびりついた汚れ等を、迅速に清掃すると共に、表面を極めて円滑に磨きあげる事ができ、回転ロータ１は、極めて高い清掃効果を有することができる。【００３４】  また、回転ロータ１は、清掃体１０として、一対のブレード４が形成されてある。その為、被清掃面が、例えば、じゅうたん等の場合であっても、先端に複数の凸部３０を有する軟質樹脂の弾性材からなるブレード４が、被清掃面を強力に叩きつける事により、被清掃面上の塵埃、ごみ、こびりついた汚れ等を、強力に叩き出すことができ、回転ロータ１は、極めて高い清掃効果を有することができる。【００３５】  また、回転ロータ１は、清掃体１０として、一対のチャンネルブラシ３、及び一対のブレード４が形成されてあり、ロータ２の溝部２０にたいして装着されてあると共に、清掃体１０は、ロータ２の軸の周りに螺旋状に形成されてある。その為、被清掃面が、フローリング床面、畳、じゅうたん等のさまざまな被清掃面の場合であっても、回転ロータ１は、ロータ２の軸の周りに螺旋状に形成されてある一対のチャンネルブラシ３、及び一対のブレード４からなる２種類の清掃体１０を、被清掃面にたいして連続的かつ強力に接触させることができる為、被清掃面上の塵埃、ごみ、こびりついた汚れ等を、強力に掻き出すことができる。その為、回転ロータ１は、被清掃面にたいして、清掃効果を極めて高く、的確、かつ迅速に清掃することができる。【００３６】  また、チャンネルブラシ３は、ブラシ片７の材質として、複数種類の材質を組み合わせて使用することができる為、被清掃面上に、さまざまな塵埃、ごみ等がある場合においても、強力に掻き出すことができ、回転ロータ１は、極めて高い清掃効果を有することができる。【００３７】  さ��にまた、チャンネルブラシ３は、ブラシ片７を帯状体５、及び芯線６に挟み付けて折り込んで形成されてあると共に、ロータ２の軸の周りに螺旋状に形成されてある溝部２０にたいして装着されてある為、ブラシ片７が、帯状体５、及び芯線６から脱落あるいは位置ずれすることが、ほとんど無い。その為、回転ロータ１は、極めて高い耐久性を有することができる。【００３８】  実施例１の回転ロータ１は、上記の如くの構成となっているが、清掃体１０については、少なくとも一つ以上、あるいは一対以上のチャンネルブラシ３が使用されてあれば、何ら支障は無い。また、前記の如く、チャンネルブラシ３、及びブレード４を組合わせて使用する以外にも、ブレード４以外のいかなる形態の清掃体１０であっても、チャンネルブラシ３と組合わせて使用できる。【００３９】  また、回転ロータ１の形態については、上記の如く、ギア部４８が形成されてあるブラケット７８を使用する事により、回転ロータ駆動用のモータ（図示せず）の動力が、ベルト（図示せず）を介して、ギア部４８に伝達される事により所定の回転数にて回転する形態以外にも、ギア部４８を形成する事無く、ロータ２の両端にブラケット６８を挿入固定する事により、掃除機用床ノズル４０の吸引力のみにより、回転ロータ１が回転する形態を採用できる。【００４０】  また、ロータ２の溝部の形成状態については、使用目的に応じて、上記の如くの螺旋状以外にも、中央部から両端に向かって概Ｖ字形状の螺旋状、概波形形状の螺旋状、あるいは前記形状の組合せ等を、適時、設定することができる。【００４１】  また、ロータ２に使用する材質は、使用する目的に応じて設定した強度を満足すると共に、概円柱形状等を形成可能な材質であるならば、いずれの材質でも使用することができる。例えば、アルミニウム、マグネシウム、鉄、ステンレス、セラミック、モリブデン、発泡アルミニウム、又は前記材質の合金、天然繊維、化学繊維、天然樹脂発泡体、合成樹脂発泡体、天然樹脂、合成樹脂、天然ゴム、合成ゴム、木、竹、紙等である。また、例えば、各種抗菌剤、金属不活性剤、各種金属粉、各種金属繊維、タルク、ウオラスナイト、珪藻土、クレー、カオリン、ケイ酸カルシウム、ガラス粉、石英粉末、シリカ、カーボンブラック等のケイ酸塩、チタン酸カリウム、アルミナ、酸化亜鉛、酸化チタン、酸化鉄等の金属酸化物、炭酸カルシウム、炭酸バリウム等の金属炭酸塩、水酸化マグネシウム、水酸化アルミニウム等の金属水酸化物、カーボン繊維、ガラス繊維、アルミナ繊維、シリカ繊維等の無機質繊維、マイカ、難燃剤、有機あるいは無機顔料等を少なくとも１種類以上添加することもできる。【００４２】  また、帯状体５に使用する材質は、使用する目的に応じて設定した強度を満足すると共に、概コの字形状の断面を有する長尺形状等を形成可能な材質であるならば、いずれの材質でも使用することができる。例えば、アルミニウム、マグネシウム、鉄、ステンレス、セラミック、又は前記材質の合金、天然繊維、化学繊維、天然樹脂発泡体、合成樹脂発泡体、天然樹脂、合成樹脂、天然ゴム、合成ゴム、木、竹、紙等である。【００４３】  また、芯線６は、実施例１においては、断面が丸形の鋼線が使用されてあ��が、芯線６の断面形状については、丸形以外にも、三角、四角、五角、六角等の矩形断面形状、各種異形断面形状等を使用することができる。前記断面形状の芯線を使用した場合には、丸形断面形状の芯線を使用した場合に比べて、帯状体５、及び芯線６に挟み付けられて折り込まれたブラシ片７を、より強く保持することができるので、ブラシ片７の脱落、位置ずれ等をより防止することができる。また、複数本の鋼線等を撚ることにより形成された撚線を芯線６として使用した場合にも、前記と同様の効果を得ることができる。【００４４】  また、ブラシ片７に使用する材質は、使用する目的に応じて設定した強度を満足すると共に、チャンネルブラシ３に形成可能な材質であるならば、いずれの材質でも使用することができる。例えば、アルミニウム、マグネシウム、鉄、ステンレス、セラミック等の線材、又は前記材質の合金線材、天然繊維、化学繊維、天然樹脂発泡体、合成樹脂発泡体、織布、不織布、編物、天然樹脂、合成樹脂、天然ゴム、合成ゴム、ゲル材、フィルム材、メッシュ材、馬毛、豚毛等の天然毛材であり、前記材質を、組み合わせて使用するか、あるいは混合させて使用することもできる。【００４５】  さらにまた、チャンネルブラシ３の構成については、例えば、帯状体５として概コの字形状の断面を有する樹脂押出成形材、あるいは、ばね材等を使用して、帯状体５にたいしてブラシ片７を押込み、帯状体５の反力にて保持する方法を採用することにより、芯線６を使用しない構成とすることもできる。前記の方法を採用した場合においては、回転ロータ１の組立が、容易かつ迅速にできると共に、芯線６が必要ない為、回転ロータ１の価格を低減できる。【００４６】  次に、図７にて、本発明の実施例１の他の実施の形態として使用する清掃体を説明する。図７は、起毛ブラシ８であり、基布５１にたいして、短繊維５２が密集させて植設して形成されてある。【００４７】  清掃体として、起毛ブラシ８を使用した場合においては、例えば、畳等の細かな凹凸面を有する被清掃面上の塵埃、ごみ、こびりついた汚れ等を、密集させて植設して形成されてある短繊維５２が、凹凸面の細部にまで入り込んで的確に除去する事ができる。また、例えば、フローリング床面等の表面の磨き効果が必要とされる被清掃面上の塵埃、ごみ、こびりついた汚れ等を、密集させて植設して形成されてある短繊維５２が、迅速に清掃すると共に、表面を極めて円滑に磨きあげる事ができる。【００４８】  次に、図８にて、本発明の実施例１の他の実施の形態として使用する清掃体を説明する。図８は、払拭布９であり、概きのこ形状の断面を有する底部６０、布部９０、及び布部９０の表面に形成された起毛部８０より形成されてある。【００４９】  清掃体として、払拭布９を使用した場合においては、例えば、畳等の細かな凹凸面を有する被清掃面上の塵埃、ごみ、こびりついた汚れ等を、布部９０の表面に形成された起毛部８０が、凹凸面の細部にまで入り込んで、的確に除去する事ができると共に、例えば、フローリング床面等の表面の磨き効果が必要とされる被清掃面にたいして、被清掃面上の塵埃、ごみ、こびりついた汚れ等を、布部９０の表面に形成された起毛部８０が、迅速に清掃すると共��、表面を極めて円滑に磨きあげる事ができる。【００５０】  本発明の実施例１の他の実施の形態は、上記の如くの構成となっているが、ロータ２にたいして、チャンネルブラシ３、ブレード４、起毛ブラシ８、払拭布９等からなる清掃体１０を装着する方法については、上記の方法以外にも、使用する目的に応じて、例えば、溝部２０にたいして、チャンネルブラシ３、ブレード４、起毛ブラシ８、払拭布９等からなる清掃体１０を圧入しつつ挿入固定する方法、あるいは、挿入後、ロータ２の溝部２０の所定箇所を、かしめる事により固定する方法、あるいは、挿入後、接着、溶着、溶接する方法等を採用することもできる。また、溝部１９を形成する方法についても、成形、切削加工等の方法を、適時、採用して使用することができる。
【実施例２】
【００５１】  図９にて実施例２を示す。図９は、本発明の回転ロータの断面図である。図９において、１１は回転ロータ、１２はロータ、１５は清掃体Ａ、１６、２６、３６、４６は高さ、１７、２７、３７は回転外径、２５は清掃体Ｂ、３５は清掃体Ｃ、４５は清掃体Ｄである。【００５２】  回転ロータ１１は、図９の如く、ロータ１２、及び清掃体Ａ１５、清掃体Ｂ２５、清掃体Ｃ３５、清掃体Ｄ４５が形成されてある。また、清掃体Ａ１５は、高さ１６にて回転外径１７となるようにロータ１２に装着されてある。また、清掃体Ｂ２５は、高さ２６にて回転外径２７となるようにロータ１２に装着されてある。また、清掃体Ｃ３５は、高さ３６にて回転外径３７となるようにロータ１２に装着されてある。また、清掃体Ｄ４５は、高さ４６にて回転外径２７となるようにロータ１２に装着されてある。【００５３】  また、清掃体Ａ１５は、チャンネルブラシにて形成されてあり、清掃体Ｂ２５よりこしの強い細い繊維でブラシ状に形成されてある。清掃体Ｂ２５は、基布にたいして短繊維を密集させて植設した起毛ブラシであり、細い繊維でブラシ状に形成されてある。清掃体Ｃ３５は、軟質材でブレード状に形成されてある。清掃体Ｄ４５は、払拭布で形成されてある。【００５４】  実施例２の回転ロータ１１は上記の如くの構成となっているので、清掃体Ａ１５は、主にじゅうたん等の被清掃面を強力に叩きつける事ができる。その為、付着した塵埃を確実に掻き出す事ができる。清掃体Ｂ２５は、主に木床、たたみ、タイル等の被清掃面の細かい凹凸部に入り込む事ができる。その為、細かい凹凸部に入り込んだ塵埃を確実に掻き出す事ができる。清掃体Ｃ３５は、主にじゅうたん等の被清掃面を強力に叩きつける事ができる。その為、付着した麈埃を確実に掻き出す事ができる。清掃体Ｄ４５は、被清掃面に布を接触できる。その為、主に木床、たたみ、タイル等の被清掃面を磨き上げる事ができる。【００５５】  また、清掃体Ａ１５の高さ１６は清掃体Ｂ２５の高さ２６より低い為、回転外径１７は回転外径２７より小さく形成されてある。その為、回転ロータ１１は、清掃体Ｂ２５がじゅうたんのパイルを倒すと共に、清掃体Ａ１５がじゅうたんのパイルを押し広げると同時にパイルに付着した集塵を掻き取る事ができる。また、回転ロータ１１は、主にじゅうたん等の被清掃面を強力に叩きつける事ができると共に、主に木床、たたみ、タイル等の被清掃面の細かい凹凸部に入り込む事ができる。【００５６】  また、清掃体Ａ１５の高さ１６は、清掃体Ｃ３５の高さ３６より高い為、回転外径１７は回転外径３７より大きく形成されてある。その為、回転ロータ１１は、清掃体Ａ１５がじゅうたんのパイルを倒すと共に、清掃体Ｃ３５がじゅうたんのパイルを押し広げると同時にパイルに付着した集麈を掻き取る事ができる。また、じゅうたんの奥部を、清掃体Ａ１５が塵埃を確実に掻き出す事ができる。また、主に、じゅうたん等の被清掃面の表面部を、清掃体Ｃ３５が強力に叩きつける事ができる。その為、主にじゅうたん等の被清掃面を、極めて強力、かつ迅速に清掃できる。また、清掃中に長い髪の毛が清掃体Ｃ３５に巻きついた場合であっても、清掃体Ｃ３５の先端より内方に巻きつく事が無い為、はさみ等にて髪の毛を切って簡単に切除する事ができる。【００５７】  また、清掃体Ｂ２５の高さ２６は清掃体Ｃ３５の高さ３６より高い為、回転外径２７は回転外径３７より大きく形成されてある。その為、回転ロータ１１は、上記の清掃体Ａ１５、及び清掃体Ｃ３５の場合と同様の効果を得る事ができる。また、回転ロータ１１は、清掃体Ｃ３５が、主にじゅうたん等の被清掃面を強力に叩きつける事ができると共に、清掃体Ｂ２５が、主に木床、たたみ、タイル等の被清掃面の細かい凹凸部に入り込む事ができる。【００５８】  また、清掃体Ａ１５の高さ１６は清掃体Ｄ４５の高さ４６より低い為、回転外径１７は回転外径２７より小さく形成されてある。その為、回転ロータ１１は、清掃体Ｄ４５が、主に木床、たたみ、タイル等の被清掃面を磨き上げる事ができると共に、清掃体Ａ１５が主にじゅうたん等の被清掃面を強力に叩きつける事ができる。【００５９】  また、チャンネルブラシは、毛のこしの強さを任意に調節できる為、使用目的に応じて、最適な毛のこしの強さを有する清掃体を製作できる。また、チャンネルブラシは、基布にたいして短繊維を密集させて植設した起毛ブラシに比べて、帯状体に挟み付ける事が可能であるならば、いかなるこしの強い毛であっても清掃体を製作できる。その為、起毛ブラシのこしの強さでは不十分な被清掃面にたいしても、的確に清掃できる。【００６０】  実施例２の回転ロータ１１は上記の如くの構成となっているが、清掃体Ｂは、チャンネルブラシにて形成する事も可能である。また、回転ロータ１１を構成する清掃体は、前記の如く、清掃体Ａ１５、清掃体Ｂ２５、清掃体Ｃ３５、清掃体Ｄ４５が形成されてある以外にも、使用目的に応じて、構成する清掃体の本数、種類等を、適時、選択できる。
【実施例３】
【００６１】  図１０にて実施例３を示す。図１０は、本発明の電気掃除機の全体側面図である。図１０において、６１は電気掃除機、６２は掃除機本体、６３はホース、６４はハンドル、６５は延長管、６６は掃除機用床ノズル、６７は回転ロータ、７１は集塵室、７２は電動送風機室、８２は電動送風機である。【００６２】  本実施の形態における電気掃除機６１は、前部に内蔵された集塵を捕集する集塵室７１と、後部に電動送風機８２を内蔵した電動送風機室７２をそれぞれ備えた掃除機本体６２と、前記集塵室７１に連通するように一端が掃除機本体６２に接続されるホース６３と、前記ホース６３の他端に設けられたハンドル６４に着脱自在に接続される延長管６５とを備え、前記延長管６５の他端に設けられた着脱自在に接続される掃除機用床ノズル６６とを備え、前記掃除機用床ノズル６６に、上記実施例１あるいは実施例２記載の掃除機用床ノズルの回転ロータ６７を配設したものである。上記構成により、掃除機本体６２を運転し、ハンドル６４を操作して、掃除機用床ノズル６６を床面やじゅうたん等にて操作すると、掃除機用床ノズル６６に内蔵された回転ロータ６７が回転し、集塵が回転ロータ６７に構成された清掃体により掻き上げられ、電動送風機８２による吸引力で、空気と共に集塵が、延長管６５、ホース６３を通って集麈室７１に流れ、前記集塵室７１にて集麈が捕集される。【００６３】  実施例３の電気掃除機６１は上記の如くの構成となっているので、被清掃面が、床、たたみ、タイル、じゅうたん等、さまざまな被清掃面であっても、上記実施例１あるいは実施例２記載の掃除機用床ノズルの回転ロータ６７に構成された清掃体が、前記の如くのさまざまな被清掃面にたいして、的確、かつ迅速に集塵等を清掃して捕集できる。その為、極めて清掃効果の高い電気掃除機６１を製作できる。
【産業上の利用可能性】
【００６４】  本発明の回転ロータ及び電気掃除機は、さまざまな目的にたいして使用可能であるが、掃除機用床ノズルに使用されてある回転ロータ及び電気掃除機に使用する目的以外にも、被清掃面にたいする清掃効果が極めて高く、的確、かつ迅速に清掃することができる回転ロータ及び電気掃除機、床面洗浄機、床磨き機等として、広く好適に使用することができる。
【図面の簡単な説明】
【００６５】
【図１】  本発明の回転ロータを分解して前面側から見た斜視図である。
【図２】  図１に記載の回転ロータの使用状態を示す断面図である。
【図３】  図１に使用するロータを前面側から見た斜視図である。
【図４】  図１に使用するチャンネルブラシを前面側から見た斜視図である。
【図５】  図１に使用する清掃体を前面側から見た斜視図である。
【図６】  図１に使用するチャンネルブラシの製造方法を前面側から見た斜視図である。
【図７】  本発明の他の実施の形態として使用する清掃体を前面側から見た斜視図である。
【図８】  本発明の他の実施の形態として使用する清掃体を前面側から見た斜視図である。
【図９】  本発明の回転ロータの断面図である。
【図１０】  本発明の電気掃除機の全体側面図である。
【符号の説明】
【００６６】  １、１１  回転ロータ  ２、１２  ロータ  ３  チャンネルブラシ  ４  ブレード  ５  帯状体  ６  芯線  ７  ブラシ片  ８  起毛ブラシ  ９  払拭布  １０  清掃体  １５  清掃体Ａ  １６、２６、３６、４６  高さ  １７、２７、３７  回転外径  １８  縦ロール  ２０  溝部  ２５  清掃体Ｂ  ２８  横ロール  ３０  凸部  ３５  清掃体Ｃ  ３８  開口  ４０  掃除機用床ノズル  ４５  清掃体Ｄ  ４８  ギア部  ５０、６０  底部  ５１  基布  ５２  短繊維  ５８  回転軸  ６１  電気掃除機  ６２  掃除機本体  ６３  ホース  ６４  ハンドル  ６５  延長管  ６６  掃除機用床ノズル  ６７  回転ロータ  ６８、７８  ブラケット  ７０  軸受  ７１  集塵室  ７２  電動送風機室  ８０  起毛部  ８２  電動送風機  ８８  ワッシャー  ９０  布部
【図１】
2006326249.tif 000003
【図２】
2006326249.tif 000004
【図３】
2006326249.tif 000005
【図４】
2006326249.tif 000006
【図５】
2006326249.tif 000007
【図６】
2006326249.tif 000008
【図７】
2006326249.tif 000009
【図８】
2006326249.tif 000010
【図９】
2006326249.tif 000011
【図１０】
2006326249.tif 000012
【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
ロータの外周に複数個の螺旋状の開口した溝部を設け、該溝部に清掃体を装着してなる掃除機用床ノズルの回転ロータにおいて、該清掃体は、ブラシ片を断面が概コの字状の帯状体で挟んだチャンネルブラシと、軟質樹脂の弾性材からなるブレードまたは起毛ブラシまたは払拭布の少なくともいずれか一つと、からなることを特徴とする掃除機用床ノズルの回転ロータ。
【請求項２】
前記清掃体は、その高さが、前記ブレード≦前記チャンネルブラシ≦（前記起毛ブラシ，前記払拭布）、なる関係にあることを特徴とする請求項１記載の掃除機用床ノズルの回転ロータ。
【請求項３】
吸引力を発生させる電動送風機と、塵埃を捕集する集塵室と、該集塵室に連通するように接続される掃除機用床ノズルとを備えた電気掃除機であって、該掃除機用床ノズルは、前記請求項１または請求項２に記載の掃除機用床ノズルの回転ロータを備えたことを特徴とする電気掃除機。
【手続補正２】
【補正対象書類名】明細書
【補正対象項目名】０００２
【補正方法】変更
【補正の内容】
【０００２】
掃除機用床ノズルに内装される回転ロータは、種々のものが公開されている。出願人も長い間回転ロータの開発および製造を行ってきており、多くの出願をしているが、最近、ブラシ片と帯状体とからなるチャンネルブラシを、ロータに装着したものを開発している（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
特許文献１の回転ロータは、清掃効果が優れ、耐久性もあるが、フローリング床面、畳、じゅうたん等すべての被清掃面に対して、的確、かつ迅速に清掃できるとは言い難いものであった。
本発明は、上記の点に鑑みなされたもので、フローリング床面、畳、じゅうたん等のさまざまな被清掃面に対しても、清掃効果が極めて高く、的確、かつ迅速に清掃することができる回転ロータ及びこの回転ロータを備えた電気掃除機を提供することを目的としている。
【手続補正５】
【補正対象書類名】明細書
【補正対象項目名】０００６
【補正方法】変更
【補正の内容】
【０００６】
本発明の掃除機用床ノズルの回転ロータは、上記の目的を達成するため次の手段を採った。すなわち、請求項１の発明では、ロータの外周に複数個の螺旋状の開口した溝部を設け、該溝部に清掃体を装着してなる掃除機用床ノズルの回転ロータにおいて、該清掃体は、ブラシ片を断面が概コの字状の帯状体で挟んだチャンネルブラシと、軟質樹脂の弾性材からなるブレードまたは起毛ブラシまたは払拭布の少なくともいずれか一つと、からなることを特徴としている。なお、チャンネルブラシは芯線を用いて形成するのが望ましい。
【手続補正６】
【補正対象書類名】明細書
【補正対象項目名】０００７
【補正方法】変更
【補正の内容】
【０００７】
また、請求項２の発明は、請求項１の発明において、前記清掃体は、その高さが、前記ブレード≦前記チャンネルブラシ≦（前記起毛ブラシ，前記払拭布）、なる関係にあることを特徴としている。
【手続補正７】
【補正対象書類名】明細書
【補正対象項目名】０００８
【補正方法】変更
【補正の内容】
【０００８】
また、本発明の電気掃除機は、次の手段を採った。すなわち、吸引力を発生させる電動送風機と、塵埃を捕集する集塵室と、該集塵室に連通するように接続される掃除機用床ノズルとを備えた電気掃除機であって、該掃除機用床ノズルは、前記請求項１または請求項２に記載の掃除機用床ノズルの回転ロータを備えたことを特徴としている。
【手続補正８】
【補正対象書類名】明細書
【補正対象項目名】０００９
【補正方法】変更
【補正の内容】
【０００９】
本発明の掃除機用床ノズルの回転ロータおよび電気掃除機は、次に示すような効果を得ることができる。
【手続補正９】
【補正対象書類名】明細書
【補正対象項目名】００１０
【補正方法】変更
【補正の内容】
【００１０】
請求項１の発明は、清掃体を、ブラシ片を断面が概コの字状の帯状体で挟んだチャンネルブラシと、軟質樹脂の弾性材からなるブレードまたは起毛ブラシまたは払拭布の少なくともいずれか一つ、としているので次のような効果がある。
チャンネルブラシは、毛腰の強い材質のブラシ片を密集かつ連続的に形成して製造することができるので、これを使用した場合においては、被清掃面上の塵埃、ごみ、こびりついた汚れ等を、強力に掻き出すことができる。
【手続補正１０】
【補正対象書類名】明細書
【補正対象項目名】００１２
【補正方法】変更
【補正の内容】
【００１２】
また、ブラシ片の材質として、毛腰がしなやかで、かつ密集度の高い材質を使用した場合においては、フローリング床面等の表面の磨き効果が必要とされる被清掃面にたいして、被清掃面上の塵埃、ごみ、こびりついた汚れ等を、迅速に清掃すると共に、表面を極めて円滑に磨きあげることができる。
【手続補正１１】
【補正対象書類名】明細書
【補正対象項目名】００１３
【補正方法】変更
【補正の内容】
【００１３】
また、回転ロータは、清掃体として、チャンネルブラシの他にブレードなどを形成するが、その為、被清掃面が、例えば、じゅうたん等の場合であっても、先端に複数の凸部を有する軟質樹脂の弾性材からなるブレードが、被清掃面を強力に叩きつけることにより、被清掃面上の塵埃、ごみ、こびりついた汚れ等を、強力に叩き出すことができる。また、被清掃面が、フローリング床面、畳、じゅうたん等のさまざまな被清掃面の場合であっても、連続的かつ強力に接触させることができ、被清掃面上の塵埃、ごみ、こびりついた汚れ等を、強力に掻き出すことができる。
【手続補正１２】
【補正対象書類名】明細書
【補正対象項目名】００１４
【補正方法】削除
【補正の内容】
【手続補正１３】
【補正対象書類名】明細書
【補正対象項目名】００１６
【補正方法】変更
【補正の内容】
【００１６】
さらに、ブラシ片を芯線に折り込んで帯状体で挟み付たチャンネルブラシを用いれば、ブラシ片が、帯状体、及び芯線から脱落あるいは位置ずれすることの無いものとすることができる。
【手続補正１４】
【補正対象書類名】明細書
【補正対象項目名】００１７
【補正方法】変更
【補正の内容】
【００１７】
また、清掃体として、チャンネルブラシの他に起毛ブラシを使用した場合においては、畳等の細かな凹凸面を有する被清掃面上の塵埃、ごみ、こびりついた汚れ等を、密集させて植設して形成されてある短繊維が、凹凸面の細部にまで入り込んで、的確に除去することができる。また、フローリング床面等の表面の磨き効果が必要とされる被清掃面上の塵埃、ごみ、こびりついた汚れ等を、密集させて植設して形成されてある短繊維が、迅速に清掃すると共に、表面を極めて円滑に磨きあげることができる。
【手続補正１５】
【補正対象書類名】明細書
【補正対象項目名】００１８
【補正方法】変更
【補正の内容】
【００１８】
また、清掃体として、チャンネルブラシの他に払拭布を使用した場合においては、畳等の細かな凹凸面を有する被清掃面上の塵埃、ごみ、こびりついた汚れ等を、布部の表面に形成された起毛部が、凹凸面の細部にまで入り込んで、的確に除去することができると共に、フローリング床面等の被清掃面にたいして、塵埃、ごみ、こびりついた汚れ等を、布部の表面に形成された起毛部が、迅速に清掃すると共に、表面を極めて円滑に磨きあげることができる。
【手続補正１６】
【補正対象書類名】明細書
【補正対象項目名】００１９
【補正方法】変更
【補正の内容】
【００１９】
請求項２の発明は、清掃体の高さを、ブレード≦チャンネルブラシ≦（起毛ブラシ，払拭布）、なる関係としているので次のような効果がある。
チャンネルブラシは、主にじゅうたん等の被清掃面を強力に叩きつけることができ、付着した塵埃を確実に掻き出すことができる。起毛ブラシは、主に木床、たたみ、タイル等の被清掃面の細かい凹凸部に入り込むことができ、細かい凹凸部に入り込んだ塵埃を確実に掻き出すことができる。ブレードは、主にじゅうたん等の被清掃面を強力に叩きつけることができ、付着した塵埃を確実に掻き出すことができる。清掃体Ｄは、被清掃面に布を接触でき、主に木床、たたみ、タイル等の被清掃面を磨き上げることができる。
【手続補正１７】
【補正対象書類名】明細書
【補正対象項目名】００２０
【補正方法】変更
【補正の内容】
【００２０】
また、チャンネルブラシの高さは起毛ブラシの高さより低く、チャンネルブラシの回転外径は起毛ブラシの回転外径より小さく形成されているので、起毛ブラシがじゅうたんのパイルを倒すと共に、チャンネルブラシがじゅうたんのパイルを押し広げてパイルに付着した集塵を掻き取ることができる。また、回転ロータは、主にじゅうたん等の被清掃面を強力に叩きつけることができると共に、主に木床、たたみ、タイル等の被清掃面の細かい凹凸部に入り込むことができる。
【手続補正１８】
【補正対象書類名】明細書
【補正対象項目名】００２１
【補正方法】変更
【補正の内容】
【００２１】
また、チャンネルブラシの高さは、ブレードの高さより高く、チャンネルブラシの回転外径はブレードの回転外径より大きく形成されているので、チャンネルブラシがじゅうたんのパイルを倒すと共に、ブレードがじゅうたんのパイルを押し広げてパイルに付着した集塵を掻き取ることができる。また、じゅうたんの奥部を、チャンネルブラシが塵埃を確実に掻き出すことができる。また、主に、じゅうたん等の被清掃面の表面部を、ブレードが強力に叩きつけることができ、極めて強力、かつ迅速に清掃できる。また、清掃中に長い髪の毛がブレードに巻き付くことがあるが、ブレードの先端より内方には巻きつかないので、はさみ等にて髪の毛を切って簡単に切除することができる。
【手続補正１９】
【補正対象書類名】明細書
【補正対象項目名】００２２
【補正方法】変更
【補正の内容】
【００２２】
また、起毛ブラシの高さはブレードの高さより高く、起毛ブラシの回転外径はブレードの回転外径より大きく形成されているので、上記と同様の効果を得ることができる。また、回転ロータは、ブレードが、主にじゅうたん等の被清掃面を強力に叩きつけることができると共に、起毛ブラシが、主に木床、たたみ、タイル等の被清掃面の細かい凹凸部に入り込むことができる。
【手続補正２０】
【補正対象書類名】明細書
【補正対象項目名】００２３
【補正方法】変更
【補正の内容】
【００２３】
また、チャンネルブラシの高さは払拭布の高さより低く、チャンネルブラシの回転外径は払拭布の回転外径より小さく形成されているので、払拭布が、主に木床、たたみ、タイル等の被清掃面を磨き上げることができると共に、チャンネルブラシが主にじゅうたん等の被清掃面を強力に叩きつけることができる。
【手続補正２１】
【補正対象書類名】明細書
【補正対象項目名】００２５
【補正方法】変更
【補正の内容】
【００２５】
請求項３の発明の電気掃除機は、請求項１または請求項２に記載の回転ロータを有する掃除機用床ノズルと電動送風機と集塵室とを備えているので、被清掃面が、床、たたみ、じゅうたん等、さまざまな被清掃面であっても、回転ロータの清掃体が、的確、かつ迅速に集塵等を清掃して捕集できる。
【手続補正２２】
【補正対象書類名】明細書
【補正対象項目名】００２６
【補正方法】変更
【補正の内容】
【００２６】
以下、請求項１の発明の実施の形態を実施例１で、請求項２の発明の実施の形態を実施例２で、請求項３の発明の実施の形態を実施例３で説明する。
【手続補正２３】
【補正対象書類名】明細書
【補正対象項目名】００６５
【補正方法】変更
【補正の内容】
【００６５】
【図１】請求項１の発明の掃除機用床ノズルの回転ロータの実施の形態を示すもので、回転ロータを分解して前面側から見た斜視図である。
【図２】同、回転ロータの使用状態を示す断面図である。
【図３】同、回転ロータに使用するロータを示す斜視図である。
【図４】同、回転ロータに使用するチャンネルブラシを示す斜視図である。
【図５】同、回転ロータに使用するブレードを示す斜視図である。
【図６】同、チャンネルブラシの製造方法を説明するための斜視図である。
【図７】同、回転ロータに使用する起毛ブラシを示す斜視図である。
【図８】同、回転ロータに使用する払拭布を示す斜視図である。
【図９】請求項２の発明の掃除機用床ノズルの回転ロータの実施の形態を示すもので、回転ロータの断面図である。
【図１０】請求項３の発明の電気掃除機の実施の形態を示すもので、電気掃除機の全体側面図である。